(57)【要約】【課題】  単純な構造で携行時には軽量で嵩張らず、使用時には保持感が少なく安価で量産性に優れたカップ麺ホルダーを実現すること。【解決手段】  カップ麺容器の側部を形成する扇面形に近似する弧状縁部を有す扇面形の薄状本体に前記弧状縁部に並行するスリットを切設し、前記スリットで分離されて形成された帯体を表裏方向に引き離して出現する空間をカップ麺容器の挟着部とし前記弧状に並行するスリット形成部の側部に把持部を形成した。【選択図】図１
2017030857.tif 000002
【特許請求の範囲】
【請求項１】
縦型カップ麺容器の側部を平面上に展開して形成される開口縁部の円周長を有す上部の大なる弧と底部円周長を有す下部の小なる弧と左右の２直線で囲まれた扇面形の前記大小の弧と概ね半径が共通する扇面形の薄盤本体に前記左右の２直線がなす狭角θの二分の一より大なる狭角θ′をなす２直線上に両端部を有す前記大なる弧に並行する弧状スリットが切設され、前記弧状スリットの左右の外側部には盤状の把持部が形成され、前記弧状スリットで形成された隣接する弧状の帯体を表裏方向に引き離すと出現する空間にカップ麺容器を挟着して保持することを特徴とするシート状カップ麺ホルダー。
【請求項２】
左右いずれか一方の前記盤状の把持部を略滴形の水平断面を有す筒状に巻着する係着手段を具備したことを特徴とする前記請求項１に記載のシート状カップ麺ホルダー。
【請求項３】
前記大なる弧側の薄盤本体縁部に割り箸を直線的に挿通可能に穿設された複数の突出部を具備したことを特徴とする前記請求項１に記載のシート状カップ麺ホルダー。
【請求項４】
前記弧状スリットとは異なる弧長のスリットを少なくても１本混在して具備したことを特徴とする前記請求項１に記載のシート状カップ麺ホルダー。
【請求項５】
左右と下方の三方をスリットで切設されて形成された略コ字形の複数の切片を前後に揺動可能に前記大なる弧状スリットの上部に高さを変えて具備したことを特徴とする前記請求項１に記載のシート状カップ麺ホルダー。
【請求項６】
前記小なる弧状縁部に下方に略長方形の板状片が凸設しその先端を大なる弧状縁部の内側に係止する手段を具備したことを特徴とする前記請求項１に記載のシート状カップ麺ホルダー。
【請求項７】
前記大なる弧状縁部と前記小なる弧状縁部の間に略コ字形に跨設された把持部を具備したことを特徴とする請求項１に記載のシート状カップ麺ホルダー
【請求項８】
並行する弧状の各帯体に着脱自在に跨着して選択的に弧状スリットの狭角を固定する手段を具備したことを特徴とする前記請求項１に記載のシート状カップ麺ホルダー。
【請求項９】
薄盤状に形成された団扇体の中央部に切り離し可能な繋部とする未切小区間を有すスリットで外形が断続的に抜切されて前記団扇体構成部に形成されたことを特徴とする請求項１に記載のシート状カップ麺ホルダー。
【発明の詳細な説明】
【技術分野】
【０００１】
本発明はカップ麺容器挟着部と把持部とが即時に組み立可能に樹脂若しくは紙製の１枚の薄盤体に完結的に展開されたシート状カップ麺ホルダーに関する。
【背景技術】
【０００２】
カップ容器入り食品、とりわけカップ麺やカップスープのように容器に熱湯が満たされ、ほんのわずかな不注意から火傷などの事故の恐れが想定されるような飲食物を食する時にはグリップが具備された専用のホルダーを使用することが望ましい。しかし、膨大なカップ麺の年間消費量に比し上記カップ麺専用のホルダーの普及は十分に定着しているとは言い難いレベルであるのが実情である。予想される危険から身を守るための道具としてカップ麺ホルダーの普及速度は速いとはいえないが近年ではその使用効果もメディアで広く紹介されるようになった結果、多様な商品が流通し始めており今後は急速な普及が予想される。普及の遅れの第一の理由はカップ麺用に特化したホルダーは飲食時にのみ有効なかさばる立体物と評価されることにある。またカップ麺はその性質上様々な環境下で随時利用される食品であるためホルダー自体には緊急用具性の側面がある。突然発生する利用機会のために常時携行することには誰しも抵抗感があり、随時利用される道具として認識される要件としては物理的には携行に際して収納を意識させないレベルの軽量で小型であること、機能的には紙製コーヒー容器から複数種のカップ麺容器まで多様に対応できる利便性の高い仕様であることが必須でありこれらが同時に実現できれば消費者としても積極的に利用する機会が増えることが予想される。上記多様なサイズの容器に対応する手段としては長さの調整が容易な結束バンドを枠体として使用することや必要に応じて容器のサイズに合せて製作された枠体を着脱自在に係着可能に形成されたグリップ体に装着して使う方法が有効であることが開示されている。容器サイズの多様性に対応するカップ麺容器用のホルダー類に関しては本出願人の特許第５２３２９６６号の食器とフォークやスプーンなどの食掬具を片手で同時に保持して操作する食事補助具および特願２０１３−１５４１９９のカップ容器把持具の把持体および特願２０１５−１０１６５１のカップ麺ホルダーが開示されている。
【先行技術文献】
【特許文献】
【０００３】
【特許文献１】特許第５２３２９６６号公報
【特許文献２】特開２０１５−０２４８３０号公報
【特許文献３】特願２０１５−１０１６５１号
【０００４】
特許文献１に開示されたものは本出願人に係る例であり、図１では幅広のベルト状の枠体が環状に巻かれ両端部の重なり合う部分がＵ字状のクリップで固定され一定の形状が維持されている。この例では保持する容器の直径が異なる場合にはクリップを外して枠体の直径を調整した後再度両端をクリップで固定して対応することが示されている。図２には両端が外側にＵ字状に折り返されたステンレス線材の嵌着リングが把持体に係着される方法の一例が公開されている。この例では容器の形状やサイズに合せて切断した線材を対象容器に合せて形成することが示されている。  
【０００５】
特許文献２に開示されたものも本出願人に係る例であり図１では多様な容器の直径に対応する手段として繰り返し利用可能な結束バンドが有効であることが開示されている。図１１では抜き加工可能にシート体に展開された把持体を立体的に組み立ててこれに前記結束バンドを装着した例が開示されている。
【０００６】
特許文献３に開示されたものは本出願人に係る例であり、略Ｔ字形に中間部を凸設した薄盤状ベルトを環状に連結して形成される連結枠体と同じく薄盤体を断面が略台形の立体に折り曲げて形成したグリップ体とで構成されるホルダーで、前記薄盤状ベルトの両端部には長さ調整可能な連結手段を具備しており、理論上連結可能な略Ｔ字形の薄盤状ベルトの数量には制限がなく全ての直径のカップ麺容器に対応可能なホルダーであるが連結部の不安定性と強度対策に改善の余地を残している。
【発明の概要】
【発明が解決しようとする課題】
【０００７】
解決しようとする課題１は、単純な構造で携行時には軽量で嵩張らず、使用時には保持感が少なく安価で量産性に優れたカップ麺ホルダーを実現することである。
【０００８】
解決しようとする課題２は、掌の中に膨張感を感じる持ちやすい把持部を実現することである。
【０００９】
解決しようとする課題３は、カップ麺容器に注湯後食することが可能になるまで待つ間もしくは移動時に箸を置おく場所が確保され、スープ漏れも同時に回避する手段を実現することである。
【００１０】
解決しようとする課題４は、簡単な切り替えで２種類の直径に対応可能なカップ麺容器の挟着部を実現することである。
【００１１】
解決しようとする課題５は、カップ麺容器の浮き上がりを抑えつつ直径の微調整を実現することである。
【００１２】
解決しようとする課題６は、底の浅いカップ麺容器を挟持する下方の帯体の脱落事故回避手段を実現することである。
【００１３】
解決しようとする課題７は、底の浅いカップ麺容器を挟持する下方の帯体の脱落事故回避手段を把持部の構造と兼用して実現することである。
【００１４】
解決しようとする課題８は、直径が異なる複数のカップ麺容器に対応できる挟着部を選択可能に実現することである。
【００１５】
解決しようとする課題９は、用途が全く異なる機能が一体的に組み込まれた複合体を一枚の薄盤内に実現することである。
【課題を解決するための手段】
【００１６】
課題を解決するための手段としての請求項１に記載のシート状カップ麺ホルダーは、縦型カップ麺容器の側部を平面上に展開して形成される開口縁部の円周長を有す上部の大なる弧と底部円周長を有す下部の小なる弧と左右の２直線で囲まれた扇面形の前記大小の弧と概ね半径が共通する扇面形の薄盤本体に前記左右の２直線がなす狭角θの二分の一より大なる狭角θ′をなす２直線上に両端部を有す前記大なる弧に並行する弧状スリットが切設され、前記弧状スリットの左右の外側部には盤状の把持部が形成され、前記弧状スリットで形成された隣接する弧状の帯体を表裏方向に引き離すと出現する空間にカップ麺容器を挟着して保持することを特徴とする。
【００１７】
課題を解決するための手段としての請求項２に記載のシート状カップ麺ホルダーは、左右いずれか一方の前記盤状の把持部を略滴形の水平断面を有す筒状に巻着する係着手段を具備したことを特徴とする。
【００１８】
課題を解決するための手段としての請求項３に記載のシート状カップ麺ホルダーは、前記大なる弧側の薄盤本体縁部に割り箸を直線的に挿通可能に穿設された複数の突出部を具備したことを特徴とする。
【００１９】
課題を解決するための手段としての請求項４に記載のシート状カップ麺ホルダーは、前記弧状スリットとは異なる弧長のスリットを少なくても１本混在して具備したことを特徴とする。
【００２０】
課題を解決するための手段としての請求項５に記載のシート状カップ麺ホルダーは、左右と下方の三方をスリットで切設されて形成された略コ字形の複数の切片を前後に揺動可能に前記大なる弧状スリットの上部に高さを変えて具備したことを特徴とする。
【００２１】
課題を解決するための手段としての請求項６に記載のシート状カップ麺ホルダーは、前記小なる弧状縁部に下方に略長方形の板状片が凸設しその先端を大なる弧状縁部の内側に係止する手段を具備したことを特徴とする。
【００２２】
課題を解決するための手段としての請求項７に記載のシート状カップ麺ホルダーは、前記大なる弧状縁部と前記小なる弧状縁部の間に略コ字形に跨設された把持部を具備したことを特徴とする。
【００２３】
課題を解決するための手段としての請求項８に記載のシート状カップ麺ホルダーは、並行する弧状の各帯体に着脱自在に跨着して選択的に弧状スリットの狭角を固定する手段を具備したことを特徴とする。
【００２４】
課題を解決するための手段としての請求項９に記載のシート状カップ麺ホルダーは、薄盤状に形成された団扇体の中央部に未切部を断続的に有しその未切部を繋部とするスリットで外形が抜切されて前記繋部で切り離し可能に団扇兼用に形成されたことを特徴とする。
【発明の効果】
【００２５】
第１の発明によれば、カップ麺容器に不可欠の挟着部も把持部も１枚の薄い盤状の素材の板体で平面的に形成された単純な構成と重量は１０〜１５ｇの超軽量で形状は嵩張らない板状の保持感も少ない安価で優れた量産性のカップ麺ホルダーが実現した。
【００２６】
第２の発明によれば、本体の端部を略Ｕ字に折り返して係着するだけの簡単操作で、薄盤状の素材を立体に組み立てた時のもろさを補強しつつ掌の中で膨張感を感じる持ちやすい立体的な把持部が実現した。また使用後には平面状に戻すことが簡単であり優れた収納性も同時に実現した。
【００２７】
第３の発明によれば、カップ麺容器頂部の上面には弦様に割り箸がおかれ薄膜蓋のめくれは防止される。収納したカップ麺容器は割り箸を引き抜いて外さない限りホルダーから外れることはなく、また前記薄膜蓋とカップ麺容器開口面の隙間は上部帯体の延設部で囲まれて内容物が一気に外部に飛散する事態が回避された。
【００２８】
第４の発明によれば、長さの異なる弧状スリット挟んで隣接するいずれか一方の帯体を他の帯体側に移動するだけの簡単操作で２種類の直径に対応可能な挟着部が実現した。
【００２９】
第５の発明によれば、特に浅いカップ麺容器の浮き上がり対策に有効な手段が確保され同時に事実上の直径微調整手段もしくは多様な直径に対する対応手段が同時に実現した。
【００３０】
第６の発明によれば、底の浅いカップ麺容器を挟持する下方の帯体の脱落事故回避手段が実現した。
【００３１】
第７の発明によれば、底の浅いカップ麺容器を挟持する下方の帯体の脱落事故回避手段を把持部の構造と兼用して実現した。
【００３２】
第８の発明によれば、直径が異なる複数のカップ麺容器に対応できる挟着部を選択可能に実現した。
【００３３】
第９の発明によれば、用途が全く異なる機能が一体的に組み込まれた複合体が一枚の薄盤内に実現した。
【図面の簡単な説明】
【００３４】
【図１】本特許の概要を説明する一実施例図。
【図２】本体を折り返して把持部の実現を示す実施例図。
【図３】カップ麺容器のアルミ蓋めくれ防止手段実施例図。
【図４】複数の弧長の異なるスリットを使い分ける実施例図。
【図５】カップ麺容器から逸脱するのを回避する手段の実施例図。
【図６】カップ麺容器を挟持する帯体からの脱落防止手段の実施例の図。
【図７】小なる弧状縁部に凸設した板状片を折り返して大なる弧状縁部内側に係止する実施例の説明図。
【図８】小なる弧状縁部に凸設した板状片を大なる弧状縁部ｋ１の内側に抜設した係止穴に略コ字形に跨設した説明図。
【図９】略コ字形の把持部を小なる弧状縁部と大なる弧状縁部に凸設した板状片を曲成して実現した説明図。
【図１０】挟着対象のカップ麺容器の直径に応じた弧状スリット実現の弧長調整法の１実施例の説明図。
【図１１】薄盤状の団扇体の中にシート状カップ麺ホルダーを組み込んだ実施例の説明図。
【発明を実施するための形態】
【実施例】
【００３５】
図１は本特許の一実施例図で図１（a）は本発明の弾力性に富む素材で形成される薄盤状の本体１の詳細を示している。前記本体１は上部の大なる弧状縁部ｋ１と下部の小なる弧状縁部ｋ２と左側直線縁部ｋ３と右側直線縁部ｋ４で囲まれた扇面形部分で、前記大なる弧状の縁部k１に並行してスリットs１とs２が切設され、前記弧状縁部ｋ1と前記弧状スリットs１の間に帯体b１、弧状スリットs１と弧状スリットs２の間に帯体b２、弧状スリットs２と小なる弧状縁部k２の間に帯体b３および両側部に把持部ｎ１とｎ２が形成されている。弧状スリットs１とs２の左側の端点を結ぶ直線と右側の端点を結ぶ狭角θ′をなす２直線は前記直線状縁部k３とk４の延長線と共に前記弧状縁部k１とk２の元になる同心円の中心を通る法線をなしている。破線部で示す扇面形１１はカップ麺容器の側部を形成する展開図で、開口縁部を形成する大なる弧ｋ０１と底部を形成する小なる弧ｋ０２と狭角θをなす左右の直線ｋ０３、ｋ０４で囲まれており、前記本体１を形成する大小の弧状縁部はカップ麺容器の側部展開図と近似する半径の大小の弧で形成されていることを示している。なお、前記２つの扇面形の直線縁部ｋ０３、ｋ０４、ｋ３、ｋ４およびスリットｓ１とｓ２の両端を上下方向に結ぶ狭角θ′をなす左右の２直線は前記２つの扇面形の弧状縁部を形成する扇形の元になる同心円の中心を通る法線上にある。図１（b）は帯体ｂ１とｂ３を手前に帯体ｂ２は後方に拡げて出現する空間にカップ麺容器２を挿入して挟着した状態を示しているが、スリットで分離された上下の帯体はカップ麺容器の側部外周面に半周分ずれた反対面で一段高さを変えて当接している。図１（ｃ）はその把持方法を示す斜視図で、破線は両手で把持する場合にはスリットは１本で帯体は隣接する２本でも可能であることを示すものである。カップ容器を挟持するための空間の形成に必要な帯体は最低２枚であるが、この２枚の帯体には高低差があり挟持したカップ麺容器を回転させるねじれの力が発生するため安全性を考慮するとスリットは２本で帯体は最低３枚ある事が望ましい。便宜上本発明の使用例では主にスリットは２本で帯体は３枚の例を主に説明するものとする。図１（ｄ）は前記スリットs１を挟んで帯体b１と帯体b２がカップ麺容器２を挟着した状態の断面を示しているが前記帯体ｂ１とｂ２は前記スリットｓ１の両端部で略人字形に互いに反りつつ開いてループを形成するためカップ容器に当接する部分の高さのスリットの長さはその部分のカップ麺容器の円周の２分の１より長くなることを示している。弧状スリットｓ１、ｓ２はカップ麺容器側部を形成する展開図の弧状縁部ｋ０１の同心円であり、また弧の長さは同心円の中心角に比例するため、前記弧状スリットｓ１、ｓ２の両端をおく２直線がなす狭角θ′はカップ麺容器の側部展開図１１の両端の直線縁が形成する狭角θの二分の一より大になる。なお本発明ではカップ麺容器挟着部と把持部の形成が扇面形本体の形状の中で完結していることを特徴としており、把持を容易にするための指を通す孔の穿設や握りやすい形状の形成も扇面形内の前記把持部ｎ１及びｎ２を拡大した領域内で実現する。図１（ｅ）は把持を容易にするための指を通す穴が把持部に抜設された本体例であり把持部ｎ１とｎ２にはそれぞれ矩形の長穴ｈ１０１と楕円形の長穴ｈ１０２が説明の便宜上形状を変えて表示されており穴の形状に制限がないことを示すものである。図１（ｆ）は長穴ｈ１０３の縁部に円弧状の舌状片ｔ１１、ｔ１２、ｔ１３、ｔ１４が揺動可能に連設され略直角に曲折された例で、本発明の素材は薄盤体であり把持した時に指に食い込みやすく苦痛を回避するのに有効な手段として一例を示したものである。図１（ｇ）は前記扇面形の外側に外形が大きくはみ出る場合の形状例であるが、その外形の内側には破線部の位置を大なる弧状縁部とする前記扇面形が本体の主部として存在しており、扇面形の外側にはみ出る領域は本発明では帯体の一部とみなすものとする。
【００３６】
図２は前記薄盤状の本体１の端部を丸めるように折り返して掌の中で膨張感を伴う握りやすい把持部の実現を示す１実施例である。図２（ａ）は前記本体１の端部に法線方向のスリットｓ３が前記帯体ｂ１の幅より大なる長さに前記大なる弧状縁部ｋ１から切り込まれスリットｓ３と直線縁部ｋ３との間に舌状片ｂ４が形成されている。同様にスリットｓ４が前記帯体ｂ３の幅より大なる長さに弧状縁部ｋ２から切り込まれスリット４と直線縁部ｋ３との間には舌状片ｂ５が形成されている。弧状スリットｓ１、ｓ２形成部とスリットｓ３、ｓ４形成部との間には略矩形の長穴ｈ１とｈ２が抜設されている。図２（ｂ）は立体的に組み立てられて膨張感を実感できる把持部実現の具体例を示す斜視図で、図２（ｂ）左図は前記本体１の直線縁部ｋ３側端部を弧状スリット側に丸めるように折り返し帯体ｂ１に相対する舌状片ｂ４をスリットｓ１から挿入し、帯体ｂ３に相対する舌状片ｂ５をスリットｓ２から挿入すると舌状片ｂ４と帯体ｂ１、舌状片ｂ５と帯体ｂ３は互いに裏面通しが密着しつつ係着し略滴形の断面を有す筒状に巻着された把持部ｎ３が形成されることを示し、図２（ｂ）右図はこの状態で前記舌状片ｂ４、ｂ５形成端部を帯体ｂ１、ｂ３に押圧しながら帯体ｂ２を反対方向に引きつけるとカップ麺容器を保持する空間が形成されることを示しているが図（ｃ）のように面ファスナーや融着でも前記把持部ｎ３の実現は可能であることを示すものである。図２（ｄ）は折り返されて形成された前記把持部の立体的形状を安定的に維持するための手段の１例を示す参考図で図（ｄ１）は把持部形成域の大なる弧状縁部にこの縁部を折り曲げの軸部とする親指大の凸状片ｔ１５を凸設し、前記折り曲げの軸部の延長弧上にはスリットｓ５が切設されている。図（ｄ２）は破線で示すように略９０°折り曲げた前記凸状片ｔ１５を矢印方向に回転しながら図（ｄ３）のようにスリットｓ５に挿着すると略Ｕ字形に折り返された対向する２平面の間隔が固定された安定した状態になる。図（ｄ４）は前記親指大の突出片により補強された把持部を５指で握り込むように把持している状況を示す斜視図である。
【００３７】
図３はカップ麺容器の頂部に糊付けされたアルミ蓋のめくれ防止とスープ漏れ防止実現の実施例である。図３（ａ）は薄盤状本体１の帯体ｂ１の外側には延設部１０１が形成され概ね割り箸大の小穴ｈ２、ｈ３、ｈ４、ｈ５、ｈ６が略定間隔で同一円周状に穿設され、直線縁部ｋ４から大なる弧状縁部ｋ１に沿ってスリットｓ６が切設され略水平に揺動可能に形成された舌状片部１０１１には小孔ｈ７が穿設されている。図３（ａ1）は前記本体１を立体に組み立ててカップ麺容器２を収納した後に割り箸を小孔ｈ７側から挿入し先端部を小孔ｈ２に挿入した状態を示し、図３（ａ２）は同様に先端部を小孔ｈ５に挿入して蓋２のめくれ防止を実現した状態を示している。図３（ｂ）は小穴ｈ２の穿設部だけ凸設片１０２が形成された例で図３（ｂ１）は割り箸を舌状片１０３に通したのち破線矢印方向に回転させることを示す斜視図で図３（ｂ２）は割り箸３の先端部を凸設片１０２に挿着した状態を示している。割り箸３は凸設片１０３の回転前後で約９０°方向が変わっているがその方向を元に戻そうとする前記舌状片１０３の復元力により割り箸３には凸設片１０２と舌状片１０３との当接部に摩擦力が発生し抜けにくい状態が確保されている。蓋のめくれを抑える操作は火傷等の事故にも関わる問題であり可能な限りスムーズな動作で実施されることが望ましい。割り箸の方向転換は小孔を大きく広げることでも容易に達成できるが抜けて落ちやすくもなり、素材の復元力を利用した本操作は極めて有効である。図３（ｃ）は前記延設部１０１に小孔ｈ４とｈ７だけを穿設した例で（ｃ１）は割り箸３を小孔ｈ７から通し先端部を小孔ｈ４に通して蓋２のめくれを抑えるように固定した状態を示している。図３（ｄ）は箸を最初に通す部位を延設部の中央付近の小孔ｈ６に設定した例で、小孔ｈ６の穿設部位には弧状縁部ｋ１に沿ってスリットｓ７が切設され揺動可能に舌状片が形成されている。図３（ｄ１）は割り箸３を小孔ｈ６に通した後その舌状片部を回転させて割り箸の先端部を小孔ｈ３に通した状態を示している。
【００３８】
図４は弧長の異なるスリットを使い分けて直径の異なる複数種のカップ麺容器の保持を実現する実施例図で図４（ａ）は前記スリットｓ１とｓ２の中間に並行して弧状のスリットｓ８が新たに切設され、前記帯体ｂ２はｂ２１とｂ２２に２分割されている。前記スリットｓ８は左側の端部がスリットｓ１とｓ２を結ぶ法線上におかれ、右側の端部はスリットｓ１とｓ２の右側の端部を結ぶ法線に到達しない位置で停止していることを示しているが、図４（ｂ）左図は前記帯体ｂ２１とｂ２２をまとめて手前に拡げた状態であり右図は前記帯体ｂ２１を帯体ｂ１側に移動させた状態にありこれら２つの状態を対比的に例示し帯体の位置を変えるだけで直径が異なる容器に対応できることを示したものである。
【００３９】
図５は高さが小で底部が丸みを帯びた丼タイプのカップ麺容器がそれを挟着するホルダーの下方の帯体から外れる事故の回避手段の実施例図である。図５は左右と下方の三方をスリットで切設されて下方側が前後に揺動可能に形成された略コ字形の複数の切片が本体１の上部に高さを変えて複数設けられ、その切片の下方端部をカップ麺容器の縁部に掛けることでカップ麺容器が浮き上がり挟着状態から逸脱する事故を回避する実施例で図５（ａ）は高さの異なる２組のコ字形切片ｋｓ１１、ｋｓ１２とｋｓ２１、ｋｓ２２を本体１の帯体ｂ１若しくはその延設部１０１に具備した一例の斜視図である。図５（ｂ）は高さが十分にあり前記コ字形切片を不要とする縦長のカップ麺容器２1を帯体ｂ２に挟着した時のカップ麺容器底部とコ字形切片ｋｓ１１との相対的位置関係の参考斜視図で、カップ麺容器２１はその頂部が前記コ字形切片ｋｓ１１より上方にあって底部は帯体ｂ２と大きく離れて下方にあって安定的にホルダーに挟着した状態を示している。図５（ｃ）は前記カップ麺容器21とは直径は近似するが高さが小の丼タイプのカップ麺容器22を同一の本体１の帯体ｂ２に挟着した斜視図であるが、前記カップ麺容器２２は帯体による周囲からの押圧で上方に押し上げられ底部が帯体ｂ２から外れやすい極めて危険な状況にある事を示している。図５（ｄ）は前記丼タイプのカップ麺容器22をその底部が帯体ｂ２から十分に下方に離れるまで下方に押し下げるとカップ麺容器22頂部の縁部に出現するように切設された前記コ字形切片ｋｓ１１とｋｓ１２がカップ麺容器の縁部を抑えて安定的に挟持される状況になったことを示している。図５（ｅ）は本体１の帯体ｂ１若しくはその延設部１０１に前記コ字形切片を高さを変えて多数具備した実施例で直径の異なる丼タイプのカップ麺容器に対する微妙な直径調整を実現しているが、前記複数のコ字形切片の形成位置に大きな高低差を設定すると直径が全く異なる別種のカップ麺容器に対応可能なホルダーが実現することを示すものである。図５（ｆ）は無用に空いている前記コ字形切片部を割り箸を通す穴として代用した例を示す斜視図である。
【００４０】
図６は底の浅いカップ麺容器を挟持する帯体からの脱落防止手段を講じた本体の実施例１の説明図で図６（ａ）左図は前記弧状のスリットｓ１の外側にカップ麺容器の縁部を弧に沿って断続的に挟持する前記カップ麺容器の縁部の厚み幅のスリットｓ９、ｓ１０が抜設されている。図６（ａ）右図は丼タイプのカップ麺容器２２の縁部が略半周にわたってスリットｓ９、ｓ１０に挟持されている状態の斜視図でカップ麺容器が抜け落ちる可能性の低い状態が作り出されている。図６（ｂ）はカップ麺容器の縁部の厚み幅のスリットが１本の場合の例であり小なる直径のカップ麺容器の場合には１本でも有効な挟着が実現する。
【００４１】
図７は小なる弧状縁部に凸設した板状片を折り返して大なる弧状縁部内側に係止する実施例の説明図で、図７（ａ）は扇面形の本体１２の小なる弧状縁部ｋ２に先端部が段差で減幅された略長方形の板状片１０３が法線方向下方に凸設され、大なる弧状縁部ｋ１内側には前記板状片１０３の先端部を挿着するスリットｓ１１が切設されていることを示し、図７（ｂ）は前記板状片１０３をその凸設元部で裏側に折り返して先端部をスリットｓ１に通した後に本体１２の中間部に密着するように帯体ｂ３側から帯体ｂ１側に跨設して最終的にｓ１１に挿入して係着した状態の部分拡大斜視図であり、底の浅いカップ麺容器の下方周囲を挟着する帯体が前記カップ容器の底部下面側に回り込むように滑り落ちる事故の防止手段を実現している。
【００４２】
図８は扇面形の本体１３の小なる弧状縁部ｋ２に凸設した板状片１０４を略コ字形に曲成し大なる弧状縁部ｋ１の内側に抜設した係止穴に係止した実施例の説明図で図８（ａ）は板状片１０４の先端部が減幅されその減幅した段差部には左右から切り込みが入り小幅の繋部ｔ２０が形成され、前記繋部ｔ２０を介して略矩形の係止頭部ｔ２１が形成されている。前記板状片１０４の法線方向の中心線上で大なる弧状縁部ｋ１の内側に前記繋部ｔ２０の幅を小なる対角線とし前記係止頭部ｔ２１の幅を大なる対角線とするひし形の係止穴ｓ１２が抜設されている。図８（ｂ）は前記本体１３に底の浅い容器２２を挟着した状態の斜視図で、前記板状片１０４は両端が略直角に折り曲げられて上方の帯体ｂ１と下方の帯体ｂ３との間に略コ字形に跨設され前記係止頭部ｔ２１は板状片１０４を９０度捻るようにして前記係止穴ｓ１２に挿入されて係着しつつ把持部ｎ４が形成され、前記係止頭部が９０度回転しない限り離脱不能にロックされ底の浅いカップ麺容器の下方周囲を挟着する帯体ｂ3が前記カップ容器の底部下面側に回り込むように滑り落ちる事故の防止手段を実現している。なお、前記板状片１０４が大なる弧状縁部ｋ１に凸設され、前記ひし形の係止穴ｓ１２を小なる弧状縁部ｋ２の内側に設けた構成でも略コ字形の把持部は跨設可能であり帯体ｂ３の脱落は同等に回避される。
【００４３】
図９は前記略コ字形の把持部n４を略Ｌ字形片とＬ字の短辺長の小板片で実現した実施例の説明図で図９（ａ）は概ね掌幅と指厚を加算した長さを長辺とし握りやすさで決まる任意の横幅を短辺とする略長方形片の一方の端部側にひし形の前記係止穴ｓ１２を抜設した略矩形の板状片１０５を前記係止穴ｓ１２側と対向する短辺側を大なる弧状縁部ｋ１に合わせて凸設し、概ね前記指厚の長さと前記板状片１０５と同幅で一方の端部に前記繋部ｔ２０と係止頭部ｔ２１を有す略矩形の板状片１０６を小なる弧状縁部ｋ２に凸設した本体１４の展開図の実施例を示している。図中両端部には二点鎖線にそって折り曲げ可能に延設部が形成されている。図９（ｂ）は前記本体１４に底の浅い容器２２を挟着した状態の斜視図で、前記板状片１０５と１０６は本体に対して同側に略直角に折り曲げられ、さらに前記板状片１０５は本体１４に略並行して前記板状片１０６側に略直角に折り曲げられ、前記係止頭部ｔ２１と係止穴ｔ２０は直行する向きに係着して略コ字形の把持部を形成しつつ下方の帯体ｂ３の脱落回避を実現している。前記板状片１０５の両側の延設部は把持部として握られた時に端部の切り口が皮膚に接触する不快感を回避するために外方向に折り曲げられている。なお、前記板状片１０５と１０６は凸設部位を交換した構成でも帯体ｂ３の脱落は同等に回避される。また、本特許では弧状縁部に凸設した板状片を略コ字形に固定するロック手段は問わないものとする。
【００４４】
図１０は挟着対象のカップ麺容器の直径に応じた弧状スリット実現の弧長調整法の１実施例の説明図である。図１０（ａ）は前記弧状スリットの左側端部を通る法線と狭角θ″をなす法線と帯体ｂ１、ｂ２、ｂ３の中心との交点に法線と略直行して切設された小スリットｓｓ１、ｓｓ２、ｓｓ３に略矩形の薄盤体５が連通して各帯体に跨着した状態を示している。想定する挟着対象のカップ麺容器の直径に対応した狭角をなす組合せの小スリット群をそれぞれの挟角ごとに帯体上に形成しておくことにより選択的に前記略矩形の薄盤体を帯体ｂ１、ｂ２、ｂ３に連通して跨設係着することが可能となりカップ麺容器の直径に応じた空間を実現することができる。図１０（ａ）では前記狭角θ″１、θ″２、θ″３、θ″４の４種に対応するカップ麺容器を挟着の対象とする実施例であるが設定数は任意である。図１０（ｂ）はカップ麺容器を挟着した斜視図である。図１０（ｃ）は前記略矩形の薄盤体５に換えてスプーンの柄の部分を挿着した使用例で、身近な生活用品の中から調達して代用可能である事を示したものである。なお、この挟着手段はコーヒー用の小なる紙コップから丼タイプの大なるカップ麺容器まで１種類の本体で実現可能であることが確認されている。
【００４５】
図１１は薄盤状の団扇体の中にシート状カップ麺ホルダーを組み込んだ実施例の説明図である。図１１（ａ）は略楕円状の団扇体１６の中央部に斜線で示すシート状カップ麺ホルダー１５がその外形に沿って随意に切り離し可能な未切小区間長を有す繋部ｔ２２、ｔ２３、ｔ２４、ｔ２５で分断されたスリット１４、１５、１６、１７に囲まれて前記団扇体１６の構成部と重複しつつ独立した機能体として一体的に形成されていることを示している。図１１（ｂ）は団扇体とカップ麺ホルダーが共に形状を変えた組合せの実施例でありいずれの形状も任意に設定可能であることを示すものである。  
【図１】
2017030857.tif 000003
【図２】
2017030857.tif 000004
【図３】
2017030857.tif 000005
【図４】
2017030857.tif 000006
【図５】
2017030857.tif 000007
【図６】
2017030857.tif 000008
【図７】
2017030857.tif 000009
【図８】
2017030857.tif 000010
【図９】
2017030857.tif 000011
【図１０】
2017030857.tif 000012
【図１１】
2017030857.tif 000013